(57)【要約】【課題】ＩＣカードが磁界内に存在しているか否かを短時間で検出することができるようなＩＣカード用リーダライタを提供する。【解決手段】ＩＣカード用リーダライタ１は、磁界を発生する磁界発生手段１１，１２と、前記磁界発生手段１１，１２により発生された磁界を介してＩＣカード３と通信を行う通信手段１２，１３と、前記ＩＣカード３が前記磁界発生手段１１，１２により発生された磁界内に存在しているか否かを検出するＩＣカード検出手段１５と、を備えており、前記磁界発生手段１１，１２は搬送波に基づいて磁界を発生し、前記ＩＣカード検出手段１５は前記搬送波の振幅を検出することによって前記ＩＣカード３が前記磁界内に存在しているか否かを検出する。【選択図】図２
2005235042.tif 000002
【特許請求の範囲】
【請求項１】
磁界を発生する磁界発生手段と、
前記磁界発生手段により発生された磁界を介してＩＣカードと通信を行う通信手段と、
前記ＩＣカードが前記磁界発生手段により発生された磁界内に存在しているか否かを検出するＩＣカード検出手段と、
を備えたＩＣカード用リーダライタ。
【請求項２】
前記磁界発生手段は搬送波に基づいて磁界を発生し、前記ＩＣカード検出手段は前記搬送波の振幅を検出することによって前記ＩＣカードが前記磁界内に存在しているか否かを検出する請求項１に記載のＩＣカード用リーダライタ。
【請求項３】
前記ＩＣカード検出手段は、前記搬送波を検波する検波手段と、前記検波手段の出力を所定の基準値と比較する比較手段と、を備えた請求項２に記載のＩＣカード用リーダライタ。
【請求項４】
ＩＣカードと通信を行うための磁界を発生する搬送波を検波する検波ステップと、
前記検波ステップにて得られた検波出力を所定の基準値と比較して前記ＩＣカードが前記磁界内に存在しているか否かを検出する比較ステップと、
を備えたＩＣカード検出方法。
【発明の詳細な説明】
【技術分野】
【０００１】
本発明は、磁界を介してＩＣカードと通信を行うＩＣカード用リーダライタに関する。
【背景技術】
【０００２】
従来、ＩＣカード通信システムにおいて、リーダライタとＩＣカードが磁界を介して活性化状態にある場合、これらの間の通信は非特許文献１に準拠したコマンド仕様および通信プロトコルで制御される。これにより、リーダライタが接続された端末とＩＣカードとの間で情報通信が可能となる。
【０００３】
ここで、従来のリーダライタの動作の一例を図６を参照しながら説明する。まず、端末は、常に、磁界内にＩＣカードが存在するか否かを検出するための実行コマンド００１をリーダライタに繰り返し送信し、リーダライタは、実行コマンド００２を送信する。ここで、ＩＣカードが磁界内に入ってくると、磁界からエネルギーがＩＣカードに供給され、ＩＣカードは、実行コマンド００２を受信後、リーダライタに対し、レスポンス００３を送信する。
【０００４】
次に、リーダライタは、磁界内にＩＣカードが存在することを認識し、端末にレスポンス００４を送信する。
【０００５】
次に、端末は、リーダライタに対し、複数のＩＣカードの中から、活性化状態に移行させたい所望のＩＣカードを選択するために、端末から実行コマンド００５をリーダライタに送信し、リーダライタは実行コマンド００６をＩＣカードに対し送信する。
【０００６】
ＩＣカードは、リーダライタから実行コマンド００６を受信すると、活性化状態に移行、すなわち通信可能な状態になり、リーダライタに対し、レスポンス００７を送信する。そして、リーダライタはレスポンス００８を端末に送信する。
【０００７】
次に、リーダライタは、端末から実行コマンド１０１を受信すると、ＩＣカードに実行コマンド１０２を送信する。そして、リーダライタは、ＩＣカードから実行コマンド１０２に対するレスポンス１０３を受信すると、端末にレスポンス１０４を送信する。すなわち、リーダライタは、ＩＣカードから実行コマンド１０２に対するレスポンス１０３を受信した場合、ＩＣカードが磁界内に存在していると認識する。
【０００８】
次に、ＩＣカードが磁界内に存在していない場合について説明する。リーダライタは、端末から実行コマンド１０５を受信すると、ＩＣカードに実行コマンド１０６を送信する。しかしながら、リーダライタは、ＩＣカードから実行コマンド１０６に対するレスポンスを何も受信しない（無応答）。続いて、リーダライタは、ＩＣカードに実行コマンド１０６を再送信する。しかしながら、リーダライタは、ＩＣカードから実行コマンド１０６に対するレスポンスを何も受信しない（無応答）。更に、リーダライタは、ＩＣカードに実行コマンド１０６を再送信する。しかしながら、リーダライタは、ＩＣカードから実行コマンド１０６に対するレスポンスを何も受信しない（無応答）。これに応じて、リーダライタは、端末にＩＣカードが磁界内に存在していない旨を通知する。すなわち、リーダライタは、ＩＣカードから３回連続して実行コマンド１０６に対するレスポンスを何も受信しなかった場合、ＩＣカードが磁界内に存在していないと認識する。なお、上述した説明では実行コマンド１０６の送信回数を３回で説明したが、これに限られるものではなく、非特許文献１の仕様では１回以上と規定されている。
【０００９】
【非特許文献１】「ＪＩＣＳＡＰ  ＩＣカード仕様  Ｖ２．０  第２部  近接型ＩＣカード」、ＩＣカードシステム利用促進協議会、平成１３年７月
【発明の開示】
【発明が解決しようとする課題】
【００１０】
しかしながら、従来のリーダライタでは、非特許文献１のタイマ規定により、実行コマンドを送信してからＩＣカードが磁界内に存在しているか否かを検出するのに時間を要していた。
【００１１】
本発明は、このような実情に鑑みてなされたものであり、ＩＣカードが磁界内に存在しているか否かを短時間で検出することができるようなＩＣカード用リーダライタを提供することを目的とする。
【課題を解決するための手段】
【００１２】
本発明のＩＣカード用リーダライタは、磁界を発生する磁界発生手段と、前記磁界発生手段により発生された磁界を介してＩＣカードと通信を行う通信手段と、前記ＩＣカードが前記磁界発生手段により発生された磁界内に存在しているか否かを検出するＩＣカード検出手段と、を備えている。
【００１３】
この構成によれば、ＩＣカード検出手段を備えているので、ＩＣカードが磁界内に存在しているか否かを短時間で検出することができる。
【００１４】
また、本発明のＩＣカード用リーダライタは、前記磁界発生手段が搬送波に基づいて磁界を発生するものを含み、前記ＩＣカード検出手段が前記搬送波の振幅を検出することによって前記ＩＣカードが前記磁界内に存在しているか否かを検出するものを含む。
【００１５】
この構成によれば、磁界を発生する搬送波の振幅を検出するＩＣカード検出手段を備えているので、搬送波の振幅を検出することによってＩＣカードが磁界内に存在しているか否かを短時間で検出することができる。
【００１６】
また、本発明のＩＣカード用リーダライタは、前記ＩＣカード検出手段が、前記搬送波を検波する検波手段と、前記検波手段の出力を所定の基準値と比較する比較手段と、を備えている。
【００１７】
この構成によれば、ＩＣカード検出手段が検波手段および比較手段を備えているので、搬送波を検波して得られる検波出力を所定の基準値と比較することによってＩＣカードが磁界内に存在しているか否かを短時間で検出することができる。
【００１８】
また、本発明のＩＣカード検出方法は、ＩＣカードと通信を行うための磁界を発生する搬送波を検波する検波ステップと、前記検波ステップにて得られた検波出力を所定の基準値と比較して前記ＩＣカードが前記磁界内に存在しているか否かを検出する比較ステップと、を備えている。
【００１９】
この方法によれば、搬送波を検波して得られた検波出力を所定の基準値と比較することによってＩＣカードが磁界内に存在しているか否かを短時間で検出することができる。
【発明の効果】
【００２０】
本発明のＩＣカード用リーダライタによれば、ＩＣカード検出手段を備えているので、ＩＣカードが磁界内に存在しているか否かを短時間で検出することができる。
【発明を実施するための最良の形態】
【００２１】
以下、本発明の実施の形態について、図面を参照しながら詳細に説明する。
【００２２】
図１は、本発明の実施の形態におけるＩＣカード通信システムを示す構成図である。図１において、本実施の形態におけるＩＣカード通信システムは、ＩＣカード３と、パーソナルコンピュータ等の端末４に接続されＩＣカード３に対して磁界２を介してデータを送受信するリーダライタ１と、を備えている。磁界２を介して、リーダライタ１は、ＩＣカード３に実行コマンドを送信し、ＩＣカード３から該実行コマンドに対するレスポンスを受信する。
【００２３】
図２は、リーダライタ１の要部構成を示すブロック図である。図２において、リーダライタ１は、アンテナコイル１１と、送受信部１２と、制御部１３と、外部Ｉ／Ｆ（インターフェース）部１４と、搬送波振幅検出部１５と、を備えている。アンテナコイル１１は、ＩＣカード３と通信を行うための磁界を発生するものである。送受信部１２は、変復調処理等を行うものである。制御部１３は、ＣＰＵ、ＲＯＭ、ＲＡＭ、論理回路等からなり、リーダライタ１全体の制御を行うものである。外部Ｉ／Ｆ部１４は、外部に設けられたパーソナルコンピュータ等の端末４との接続を図るためのものである。搬送波振幅検出部１５は、磁界を発生する搬送波の振幅を検出することによってＩＣカード３が磁界２内に存在しているか否かを検出するものである。
【００２４】
送受信部１２は、搬送波（交流正弦波）を生成したりＡＳＫ変調方式による変調処理等を行う送信部１２ａと、ＢＰＳＫ復調方式による復調処理等を行う受信部１２ｂと、を含んでいる。また、搬送波振幅検出部１５は、搬送波を整流して直流化する検波部１５ａと、検波部１５ａにて直流化された信号を平滑化するＬＰＦ（ローパスフィルタ）１５ｂと、ＬＰＦ１５ｂにて平滑化された信号を増幅する増幅部１５ｃと、増幅部１５ｃにて増幅された信号のレベルを所定の基準値（基準電圧）と比較し比較結果すなわちＩＣカード３の検出結果をディジタル信号（ローレベルまたはハイレベル）として出力する比較部１５ｄと、を含んでいる。
【００２５】
次に、リーダライタ１のＩＣカード検出動作について説明する。まず、図３に示すような搬送波が検波部１５ａに供給される。ここで、ＩＣカード３が磁界２内に存在していない場合には図３中実線で示すような搬送波が検波部１５ａに供給され、ＩＣカード３が磁界２内に存在している場合にはエネルギーがＩＣカード３に供給されることから図３中破線で示すような振幅の減衰された搬送波が検波部１５ａに供給される。検波部１５ａでは、供給された搬送波を整流して直流化する処理が行われ、図４に示すような直流化された信号が得られる。ＬＰＦ１５ｂでは、この直流化された信号を平滑化する処理が行われ、図５に示すような平滑化された信号が得られる。増幅部１５ｃでは、この平滑化された信号を増幅する処理が行われる。そして、比較部１５ｄでは、増幅部１５ｃにて増幅された信号のレベルを所定の基準電圧と比較し比較結果すなわちＩＣカード３の検出結果をディジタル信号（ローレベルまたはハイレベル）として出力する処理が行われ、このディジタル信号が制御部１３に供給されるようになっている。制御部１３は、ディジタル信号の値がローレベルであればＩＣカード３が磁界２内に存在していると認識し、ディジタル信号の値がハイレベルであればＩＣカード３が磁界２内に存在していないと認識する。
【００２６】
このように、本実施の形態のリーダライタ１によれば、磁界２を発生する搬送波の振幅を検出する搬送波振幅検出部１５を備えているので、搬送波の振幅を検出することによってＩＣカード３が磁界２内に存在しているか否かを短時間で検出することができる。
【産業上の利用可能性】
【００２７】
本発明は、ＩＣカードが磁界内に存在しているか否かを短時間で検出することができるといった効果を有し、磁界を介してＩＣカードと通信を行うＩＣカード用リーダライタに適用が可能である。
【図面の簡単な説明】
【００２８】
【図１】本発明の実施の形態におけるＩＣカード通信システムを示す構成図
【図２】本発明の実施の形態のリーダライタの要部構成を示すブロック図
【図３】検波部に供給される搬送波を示す波形図
【図４】検波部にて得られる直流化された信号を示す波形図
【図５】ＬＰＦにて得られる平滑化された信号を示す波形図
【図６】従来のリーダライタの動作の一例を説明するためのシーケンス図
【符号の説明】
【００２９】
１  リーダライタ
２  磁界
３  ＩＣカード
４  端末
１１  アンテナコイル
１２  送受信部
１２ａ  送信部
１２ｂ  受信部
１３  制御部
１４  外部Ｉ／Ｆ部
１５  搬送波振幅検出部
１５ａ  検波部
１５ｂ  ＬＰＦ
１５ｃ  増幅部
１５ｄ  比較部
【図１】
2005235042.tif 000003
【図２】
2005235042.tif 000004
【図３】
2005235042.tif 000005
【図４】
2005235042.tif 000006
【図５】
2005235042.tif 000007
【図６】
2005235042.tif 000008